(57)【要約】【課題】  緩やかに冠っても、風などによって飛ばされることや、不用意に脱げることがなく、優れたファッション性を備えた新規な帽子を提供する。【解決手段】  帽子（10）の本体部（12）の少なくとも1箇所、望ましくは2箇所に、髪クリップ（20）の挟み嘴（22）を挿通し得る貫通孔（12-2）を設ける。  貫通孔（12-2）の形状は、特に限定されないが、一文字、丸、長円、楕円、半円、半楕円、各種の三角形、その他の形状とされる。  貫通孔（12-2）を設ける位置は特に限定されないが、鍔裏のある部分に設けることが望ましい。【選択図】図1
2008274498.tif 000002
【特許請求の範囲】
【請求項１】
本体部（12）の少なくとも1箇所に、髪クリップ（20）の挟み嘴（22）を挿通し得る貫通孔（12-2）を設けたことを特徴とする帽子（10、30、50）。
【請求項２】
髪クリップ（20、40、60）が取付けられた請求項1に記載の帽子（10、30、50）。
【発明の詳細な説明】
【技術分野】
【０００１】
本発明は、帽子、特に風などにより飛ばされたり、脱げたりしないよう、髪クリップを用いて確りと髪に取付け得るようにした新規な帽子に関する。
【背景技術】
【０００２】
帽子、特に鍔の着いた帽子は風邪に飛ばされ易く、又頭を下げたりしたときに脱げ易いと言う問題がある。
特に婦人用の帽子の場合、冠ったとき、髪型を潰さないよう緩やかな帽子が望まれるが、そのようにすると微風によっても飛ばされるようになる。
帽子を風邪に飛ばされたり、脱げたりしないようにするために、従来は、あご紐が用いられていた。
【０００３】
しかし、このあご紐はファッションセンスの観点からは論外のものであり、一部の制帽などの外には用いられていない。
【０００４】
ファッションセンスに優れた帽子固定手段を備えた帽子が提供されれば、産業上多大の利益がある。
【発明の開示】
【発明が解決しようとする課題】
【０００５】
本発明が解決しようとする課題は、ファッションセンスに優れた帽子固定手段を具備し、風等では飛ばされたりすることのない新規な帽子を提供することである。
【課題を解決するための手段】
【０００６】
本発明においては、帽子を、大型で美麗な髪クリップを用いて髪に確りと留め得るようにする。
帽子の形状には何ら制限がなく、鍔や庇、リボン等の有無、生地や材料の種類、子供用、婦人用、紳士用、制帽、作業用、正装用、外出用等の区別なく、本発明はあらゆる種類の帽子に適用されるものである。
本明細書及び特許請求の範囲において、髪クリップとは、一対の髪挟み具をそれらの端部近傍に設けた枢軸により開閉自在に結合し、両者の間に、髪挟み具の先端が閉じる方向に弾性トルクを与えるバネを設けて成るものを言う。
このバネとしては、各種のコイルバネや、板バネが用いられる。
又、上記一対の髪挟み具は、頭皮に沿うよう湾曲しており、装着したとき外側となる方には、装飾が施されている。
本明細書及び特許請求の範囲においては、装着時、頭皮側になる方の髪挟み具を挟み嘴、装飾が施された方を飾り嘴と言うこととする。
【０００７】
而して、本発明においては、帽子を、髪クリップを用いて髪に確りと留め付けるため、帽子の本体部、即ち、頭部を覆う部分の少なくとも一箇所に髪クリップの留め嘴を挿通し得る貫通孔を設ける。
本発明に係る帽子を冠った後、所望の髪クリップの留め嘴を貫通孔から挿入し、飾り嘴との間に、髪と共に帽子の生地を挟み付け、帽子を確りと留めつける。
この貫通孔は、帽子本体の表地及び裏地、更には鍔裏や鉢巻のあるところではそれらをも含めて貫通するように設けられ、それらの周縁部は一体的にかがりつけられるか、又はプラスチック製若しくは金属製のハトメにより結合される。
貫通孔の形状は、一文字、丸、長円、楕円、半円、半楕円、各種の三角形、D字型その他の形状とされ、又それらの中心軸は、鉛直に又は適宜の傾斜角をもって斜めに設けられる。
貫通孔の数及び位置は特に限定されず、1箇所だけでも充分であるが、帽子の鉛直中心軸に対象に2箇所、例えば左右2箇所等に設けることなどが推奨される。
この貫通孔の数や位置などには制限はなく、例えば、これらの貫通孔は装飾を兼ねて多数、一列又は多数列に配列することもある。
又、この貫通孔の周辺などには、髪クリップを挿通しない場合にも、美観を保てるよう刺繍や、アップリケその他の装飾を施すことが推奨される。
【０００８】
一対の髪挟み具は、真っ直ぐなものであっても良いが、装着者の頭部の外形形状に沿うように湾曲しているものが好ましい。
又更に、この髪挟み具は、枢軸側から先端部に向かって、次第に細くし、鳥の嘴状とすることが推奨される。
又、他の実施例においては、挟み嘴をフォーク状などとしたものも使用される。このような髪クリップを用いるときは、貫通孔を複数設けることもある。
更に、枢軸側の端部は、指で押して、一対の髪挟み具の先端を開き得るような形状とする。
飾り嘴の表面には、美麗な仕上げを施し、造花、珠玉、宝玉、螺鈿、貴石、彫物その他の飾りを設ける。
【発明の効果】
【０００９】
本発明に係る帽子は、これを被る際、帽子本体に設けた貫通孔に髪クリップの挟み嘴を挿通し、飾り嘴との間に、帽子の本体部の布と共に髪を挟み込み帽子を確りと髪に留め付けるので、強い風に吹かれても吹き飛ばされることがなく、又、頭を下げたりしたときに脱げたりするようなことも無くなる。
又、帽子を緩やかに被れるよう大きくしても吹き飛ばされなくなるので、髪形を崩すことのない大き目のゆったり被れる婦人用の帽子を提供することが出来る。
又、複数の帽子と髪クリップを様々に組み合わせられるので、使用者は多様なファッションを楽しむことができる。
本発明によるときは、帽子に従来見られない大型で美麗な髪クリップを組み合わせた新規なファッションを提供できるので、帽子の新規な需要が開拓され、商業上多大の利益が得られる。
【発明を実施するための最良の形態】
【００１０】
以下図面により、本発明を実施するのに好適な実施例について説明する。
図1は、本発明に係る帽子の第1実施例を示す斜視図、図2は、図1に示した帽子に、髪クリップを取付けた状態を示す斜視図、図3は髪クリップの一例を示す側面図、図4は第2の実施例を示す斜視図、図5は第3実施例の鍔無し帽子を冠った状態を示す説明図である。
【実施例１】
【００１１】
図1及び図2において、10は鍔付の帽子である。
この帽子10の頭部を覆う部分即ち、本体部12の右側頭部には、一文字型の貫通孔12−2が設けられている。
この貫通孔12−2は、帽子の表地、裏地及び鍔裏を貫通するよう設けられており、それらの孔の縁辺部は一体的にかがり付けられている。
而して、この貫通孔12−2には、図2に示すように、図3に示す髪クリップ20が取付けられる。
【００１２】
髪クリップ20の一例は図3に示されている。
図3において、22は挟み嘴、24は飾り嘴、26は枢軸、28−2、28−4、28−6及び28−8は造花、宝玉などの飾りである。
挟み嘴22と飾り嘴24とは、一端部の近傍に設けられた枢軸26により開閉自在に結合されており、両者の間には図示しないスプリングが介装され、図中左側の先端部が閉じる方向に弾性トルクが付与されるようになっている。
【００１３】
この髪クリップ20の挟み嘴22は、帽子10の貫通穴12に相通され、飾り嘴24と協働して、帽子10の本体12の布を頭髪と共に挟み、帽子が風などで飛ばされたり、不用意に脱げたりしないように確りと留め付ける。
【実施例２】
【００１４】
図4に示された第2実施例においては、髪クリップ40は帽子30の左側面に取付けられている。
【実施例３】
【００１５】
図5には、本発明の第3実施例である鍔なしのキャップ50を冠った女性の頭部が示されている。
ここで、帽子50は髪クリップ60により確りと髪に留め付けられているから風で飛ばされることもなく、又、頭を下げたり、激しく体を動かしたりしたとき、帽子50が不用意に脱げることもない。
尚、このような深く被らない帽子50の場合、髪クリップ60は帽子50の左右2箇所、又は前後2箇所の設けることが推奨される。
【産業上の利用可能性】
【００１６】
本発明によるときは、風などによって飛ばされたり、脱げたりすることがなく、又、優れたデザインの髪クリップと共に用いることのできる新規な帽子を提供し得るものである。
【図面の簡単な説明】
【００１７】
【図１】本発明に係る帽子の第1実施例を示す斜視図である。
【図２】図1に示した帽子に、髪クリップを取付けた状態を示す斜視図である。
【図３】髪クリップの一例を示す側面図である。
【図４】第2実施例を示す斜視図である。
【図５】第3実施例の鍔無し帽子を冠った状態を示す説明図である。
【符号の説明】
【００１８】
10、30、50    帽子
12            帽子本体部
12−2         貫通孔
20、40、60    髪クリップ
22            留め嘴
24            飾り嘴
26            枢軸
28−2、28−4、28−6、28−8  飾り
【図１】
2008274498.tif 000003
【図２】
2008274498.tif 000004
【図３】
2008274498.tif 000005
【図４】
2008274498.tif 000006
【図５】
2008274498.tif 000007